(57)【要約】【課題】基板表面に配設した放熱部品を効率よく冷却し得ると共に、ケース自体の小型化を図り得る遊技機の基板ケースを提供する。【解決手段】第２基板ケース２７を電子部品５１および放熱部品５２，５３を混在的に配設した基板５０の表面側を保護するカバー体３１と、前記基板５０の裏面側を保護するベース体２８とから構成する。そして、前記カバー体３１における前記基板５０の表面側と対向する後面部３１ａに、前記電子部品５１の高さ寸法に対応した第１保護部３２と、前記放熱部品５２，５３の高さ寸法に対応した第２保護部３６とを設ける。このとき、前記第１保護部３２に対し第２保護部３６は所要寸法だけ高くなるよう設定し、この第２保護部３６の上下の側面３６ａ，３６ｂに、前記放熱部品５２，５３からの熱をケース外部へ放出する複数の上放熱口３７ａおよび下放熱口３７ｂを設けた。【選択図】　図１
2004073283.tif 000002
【特許請求の範囲】
【請求項１】
電子部品および放熱部品を混在的に配設した基板の表面側を保護するカバー体と、前記基板の裏面側を保護するベース体とからなり、このベース体を介して遊技機の裏側に配設される基板ケースであって、
前記カバー体における前記基板の表面側と対向する面部には、前記電子部品の高さ寸法に対応した第１保護部と、前記放熱部品の高さ寸法に対応する第２保護部とが設けられ、
前記第１保護部に対し第２保護部は所要寸法だけ高くなるよう形成され、前記第２保護部の側面に、前記放熱部品からの熱をケース外部に放出する複数の放熱口を設けた
ことを特徴とする遊技機の基板ケース。
【請求項２】
前記複数の放熱口は、前記第２保護部における上下に対向する両側部に形成されている請求項１記載の遊技機の基板ケース。
【発明の詳細な説明】
【０００１】
【発明の属する技術分野】
この発明は、遊技機の基板ケースに関し、更に詳細には、基板に配設された電子部品や放熱部品が発する熱を、外部に放出する放熱口を備える遊技機の基板ケースに関するものである。
【０００２】
【従来の技術】
例えば、代表的な遊技機であるパチンコ機の基本的な構成としては、外枠に組付けられた中枠に、遊技盤、窓枠、ガラス扉、上下の球皿、打球発射装置、球送り装置、各種の球処理部等を有する機構セット盤等の遊技構成部材が夫々設置される。また、前記機構セット盤には、パチンコ機全体を制御するための主制御基板や、パチンコ機の対応する各部を制御する、払出制御基板、図柄表示制御基板、音声制御基板、ランプ制御基板、発射制御基板等の各種制御基板を収容した基板ケースが所定部位に配置され、各制御基板は主制御基板に対して電気的に接続されている。なお、前記基板ケースは、該基板ケースに収納した制御基板の表面（ＣＰＵやＲＯＭ等の電子部品）がパチンコ機の後方側を指向するように配設されている。
【０００３】
ここで、前記基板ケースは、前記制御基板のＣＰＵやＲＯＭ等の電子部品が実装された表面側を保護するカバー体と、該制御基板の裏面側を保護するベース体とから略矩形箱状に形成されている。また前記制御基板には、前記電子部品と併せて、高温となる電子部品を冷却するヒートシンク等の放熱部品が実装されている。この放熱部品は、熱交換効率を向上させるために各電子部品に比べて高さ寸法の大きな部材であり、前記制御基板に配設した際には、該放熱部品が基板表面から後方に大きく突出することになる。従って、前記カバー体の全体は、前記放熱部品を収納し得る高さ寸法に設定されている。また、前記基板ケースの後面には多数の放熱口が形成されており、前記電子部品や放熱部品からの熱をケース外部に放出し得るよう構成されている。
【０００４】
【発明が解決しようとする課題】
周知のように、前記電子部品や放熱部品等からの熱により熱せられた基板ケース内部の空気（熱気）は上昇移動する。しかし、前記放熱口は、基板ケースの後面に形成されているため、この熱気を効率的にケース外部に放出し得ない問題を内在している。このため、前記基板ケース内の温度上昇を招き、各種電子部品等の誤作動や基板ケースの変形等を招く畏れがある。
【０００５】
そこで、前記基板ケースの上側面および下側面に上放熱口および下放熱口を形成することにより、電子部品や放熱部品で熱せられて上昇移動した熱気が上放熱口からケース外部に放出されると共に、下放熱口から外気をケース内部に取り込むよう構成したものも提案されている。すなわち、このように、前記基板ケースの上下に放熱口を設けることで、該ケース内を空気が流通して放熱部品等を空冷することができる。しかし、この場合には、前記基板ケースの下放熱口近傍に配設した電子部品や放熱部品により熱せられて上昇する熱気に、上放熱口近傍に配設した電子部品や放熱部品が晒されるため、上部位置に配設された電子部品や放熱部品の効率的な空冷がなされなかった。また、前記基板ケースの上下方向の寸法は比較的長いので、前記上放熱口と下放熱口とは大きく離間した位置に形成されることになる。このため、ケース内の空気の入れ替わりが遅くなるから放熱部品の冷却効率が低下する畏れがある。
【０００６】
また、前述したように、前記カバー体の高さ寸法は、最も高い放熱部品に合わせて設定されている。このため、前記制御基板と基板ケースとの間が大きく離間して過剰なスペースが生じてしまい、該基板ケース自体が大型化する難点が指摘される。
【０００７】
【発明の目的】
本発明は、前述した従来の技術に内在している前記課題に鑑み、これを好適に解決するべく提案されたものであって、基板表面に配設した放熱部品を効率よく冷却し得ると共に、ケース自体の小型化を図り得る遊技機の基板ケースを提供することを目的とする。
【０００８】
【課題を解決するための手段】
前記課題を克服し、所期の目的を好適に達成するため、本発明に係る遊技機の基板ケースは、
電子部品（５１）および放熱部品（５２，５３）を混在的に配設した基板（５０）の表面側を保護するカバー体（３１）と、前記基板（５０）の裏面側を保護するベース体（２８）とからなり、このベース体（２８）を介して遊技機（Ｐ）の裏側に配設される基板ケース（２７）であって、
前記カバー体（３１）における前記基板（５０）の表面側と対向する面部（３１ａ）に、前記電子部品（５１）の高さ寸法に対応した第１保護部（３２）と、前記放熱部品（５２，５３）の高さ寸法に対応した第２保護部（３６）とが設けられ、
前記第１保護部（３２）に対し第２保護部（３６）は所要寸法だけ高くなるよう設定され、前記第２保護部（３６）の側面（３６ａ，３６ｂ）に、前記放熱部品（５２，５３）からの熱をケース外部へ放出する複数の放熱口（３７ａ，３７ｂ）を設けたことを特徴とする。
【０００９】
また前記複数の放熱口（３７ａ，３７ｂ）を、前記第２保護部（３６）における上下に対向する両側面（３６ａ，３６ｂ）に形成するようにしてもよい。
【００１０】
【作用】
本発明に係る遊技機の基板ケースは、基板の表面側を保護するカバー体が、基板表面に配置した電子部品の高さ寸法に対応させた第１保護部と、放熱部品の高さ寸法に対応され、該第１保護部より突出した第２保護部とから形成されると共に、該第２保護部の側面には放熱口を設けてある。このため、第２保護部の側面に設けた放熱口を介して放熱部品の熱を迅速に外部に放出し得ると共に、該放熱口を介して流入する外気により、該放熱部品を直接冷却することができるので、当該放熱部品の冷却効率を向上させ得る。また、放熱口を放熱部品に近接する位置に設けることで、前記基板ケース内に熱が籠るのが防止され、前記電子部品の誤作動やケースの変形等を抑制することができる。更に、前記第１保護部および第２保護部は、前記電子部品および放熱部品の高さ寸法に対応しているので、前記基板ケース内の過剰なスペースを減少させて、該ケース自体の小型化を図り得ると共に、該第１保護部の後方スペースを有効利用し得るようになる。
【００１１】
【発明の実施の形態】
次に、本発明に係る遊技機の基板ケースにつき、好適な実施例を挙げて、添付図面を参照しながら、以下詳細に説明する。なお、本実施例では、パチンコ機に配設した液晶表示装置（ＬＣＤ）を制御する表示制御基板を収容した第１基板ケースの背面側に、該表示制御基板を含む複数の制御基板を制御する統括制御基板を収容した第２基板ケースを回動可能に重ねて取付ける取付構造につき説明する。
【００１２】
先ず、実施例に係るパチンコ機の概略構成について、図７を参照して説明する。本実施例のパチンコ機Ｐは、その基本的な概略構成として、固定用の外郭枠とされる外枠Ａの開口前面側に対して中枠Ｂが、連結支持手段および施錠手段（何れも図示せず）を利用して着脱および開放可能に組付けられている。そして中枠Ｂに対して、後側にガラス枠Ｄを組付けた前枠Ｃと、その下方にセットされる上球皿Ｅの後側に組付けられた開閉セット板（図示せず）には、電動式の球送り装置（図示せず）等がセットされている。また、前記中枠Ｂの下部に下球皿Ｆおよび打球発射装置Ｈ等が設置されている。更に、前記中枠Ｂの下側には、効果音を出力する効果音出力装置１５を配設してある。更にまた、図８に示すように、パチンコ機Ｐの裏側に球処理部等を備えた機構セット盤Ｇや、各種制御基板１８，１９等が装備され、更に中枠Ｂに所要の遊技領域Ｉを構成した遊技盤Ｊが着脱交換可能にセットされている。
【００１３】
前記遊技盤Ｊは、図７に示すように、略円形状に湾曲形成したレール１０により囲まれた遊技領域Ｉの前側において、縦央やや下部に配設されて球をスイッチで検出し得る始動入賞具１１と、この始動入賞具１１の直上方に配設されて該遊技盤Ｊを装飾する装飾部材Ｌと、風車とも称されて遊技球の落下方向を変向する普通案内車１３と、大型電動式の入賞装置Ｍ等が配設されている。そして、前記装飾部材Ｌに開設した可視表示部１４に、遊技盤Ｊの後側から図柄表示装置Ｋが臨んでいる。なお、前記遊技盤Ｊにおける遊技領域Ｉの両側部には、該遊技盤を装飾する装飾ランプＮ，Ｎが配設されている。なお、以下の説明において、前後、左右および上下とは、図７に示すようにパチンコ機Ｐを前記遊技盤Ｊ側から見た場合において指称するものとする。
【００１４】
（第１基板ケースについて）
ここで、前記図柄表示装置Ｋは、各種図柄等を表示する前記ＬＣＤと、該ＬＣＤを制御する表示制御基板（図示せず）とから構成されており、透明な略矩形箱状の前記第１基板ケース２１（図１参照）に、該ＬＣＤおよび表示制御基板が収容されている。前記第１基板ケース２１は、前後に分離可能な前ケース体２２および後ケース体２３とから形成されており、両ケース体２２，２３を従来公知の各種手段により着脱可能に組付けてある。また、前記前ケース体２２の前面には、前記可視表示部１４と整合する開口部（図示せず）が開設されて、前記ＬＣＤにおける図柄を表示する表示面が、この開口部から外部に露出している。なお、図１または図２に示すように、前記前ケース体２２の左右両側部には、通孔２２ｂを形成したフランジ部２２ａが外側に向かって夫々延出しており、後側からこの通孔２２ｂに挿通した止着具を前記パチンコ機Ｐ裏側に固定することで、前記第１基板ケース２１が着脱可能に取付けられている。
【００１５】
図１または図４に示すように、前記後ケース体２３（第１基板ケース２１）の背面（対向面）２４には、該後ケース体２３の下端縁２４ａから所要距離だけ上方に離間した位置に、左右に離間して一対の軸受部４２，４２が形成されている。なお、前記第１基板ケース２１の下端縁２４ａと各軸受部４２との離間寸法は、前記第１基板ケース２１における上下方向の長さ寸法の概ね１／３程度以内とすることが好ましく、更に好適には１／５〜１／４の範囲である。各軸受部４２は、前記背面２４から後方に向かって突設された固定片４２ａと、該固定片４２ａに形成されて左右に整列する軸孔４２ｂとから構成されており、該軸孔４２ｂに前記第２基板ケース２７における軸部４３（後述）の支軸４３ｂが挿通されて、該第２基板ケース２７を回動可能に支持している。すなわち、前記軸受部４２および軸部４３が、前記第１基板ケース２１に対して前記第２基板ケース２７を回動可能に枢着するヒンジ機構４１として機能する。また、前記各固定片４２ａと前記後ケース体２３の背面２４との連接部位には、図１または図４に示すように、前記軸部４３を位置決めするガイド溝２３ｂが左方向（図１または図４において右方向）に延在するよう形成されている。
【００１６】
前記後ケース体２３における背面２４の下方位置には、前後方向に貫通する挿通孔２５ａを開設した凹部２５が形成され、該挿通孔２５ａに前記第１基板ケース２１に収容した前記表示制御基板のコネクタ受部４８（図５または図６参照）が挿通されている。また、前記後ケース体２３における背面２４の上部位置には、左右に離間する位置に後述の台部２８ａ，２８ａが当接する当接部２３ｄ，２３ｄが凹設されている。更に、前記背面２４の左側部（図において右側部）には、ネジ孔２３ｃを形成してある
【００１７】
前記後ケース体２３（第１基板ケース２１）の上面２３ａは、図５または図６に示すように、前側から後側に向かうにつれて下方傾斜すると共に、該上面２３ａには左右に離間して一対の係止突部４５，４５が突設されて、該係止突部４５，４５に後述する係止フック４６，４６が係脱可能に係止するようになっている。すなわち、前記係止突部４５，４５および係止フック４６，４６が、前記第１基板ケース２１に対して第２基板ケース２７を係脱可能に係止する係止手段４４として機能している。なお、前記各係止突部４５には、上方から下方に向かうにつれて後方に傾斜した第１傾斜面４５ａが形成されており、該係止突部４５に対する係止フック４６の係止を容易に行ない得るよう構成されている。
【００１８】
（第２基板ケースについて）
一方、図１に示すように、前記第１基板ケース２１の背面２４側に重ね合わせるように配設される第２基板ケース２７は、該第１基板ケース２１と対向する略矩形状のベース体２８と、該ベース体２８に着脱可能に組付けられて後方側に位置するカバー体３１とから透明の矩形箱状に形成される。なお、前記第２基板ケース２７の上下方向の長さ寸法は、前記第１基板ケースの上下方向の長さ寸法と略同一となるよう設定してある。そして、この第２基板ケース２７に、パチンコ機全体を制御する主制御基板１８（図８参照）からの制御信号に基づいて前記表示制御基板、効果音出力装置１５および装飾ランプＮの制御を行なう統括制御基板５０を収容している。また、前記統括制御基板５０の表面（後方側を指向する面）には、図１に示すように、多数のＣＰＵやＲＯＭ等の高さ寸法の小さい各種電子部品５１と、該基板５０の右上方（図１において左上方）に位置して電源基板１９（図８参照）から供給される電源電圧を所定の電圧に変換するコンバータ５２や、当該基板５０の左下方（図１において右下方）に位置してアンプ等の発熱性の高い電子部品５１を冷却する放熱板５３等の高さ寸法の大きい放熱部品が混在的に配設されている。ここで、発熱量の多い前記コンバータ５２等の放熱部品は、前記電子部品５１の上側に配設してある。なお、前記放熱板５３の放熱フィン５３ａは上下に延在するよう形成されており、該放熱板５３で熱交換した空気（熱気）が、効率的に上方移動し得るようになっている。
【００１９】
更に、前記統括制御基板５０の下部位置には、前記主制御基板１８に接続する第１コネクタ受部５５、表示制御基板に接続する第２コネクタ受部５６、前記装飾ランプに接続される第３コネクタ受部５７および前記効果音出力装置１５に接続される第４コネクタ受部５８が夫々形成されている。更にまた、前記統括制御基板５０の右上部位置（図１において左上部位置）に、前記電源基板１９に接続する電源用コネクタ受部５９を形成してある。ここで、前記第２コネクタ受部５６は、前記表示制御基板の前記コネクタ受部４８と前後に整列する位置に設けれられ、後述するハーネス６０による接続距離が短くなるようにしている。なお、前記放熱板５３の上方位置に、前記効果音出力装置１５から出力される音量を調節する音量調節ツマミ５４を配設してある。
【００２０】
前記ベース体２８（第２基板ケース２７）における前記第１基板ケース２１と対向する前面（対向面）には、図１または図４に示すように、その下端縁２９ａから所要距離だけ上側に離間した位置に、前記第１基板ケース２１（後ケース体２３）の前記軸受部４２と対応的に、前記軸部４３が夫々形成されている。なお、前記第２基板ケース２７の下端縁２９ａと各軸部４３との離間寸法は、前記第２基板ケース２７における上下方向の長さ寸法の概ね１／３程度以内とすることが好ましく、更に好適には１／５〜１／４の範囲内である。各軸部４３は、前記ベース体２８に突設された平板状の支持片４３ａと、該支持片４３ａから右方向（図１において左方向）に突出し、前記軸受部４２の軸孔４２ｂに挿入する支軸４３ｂとから構成される。すなわち、前記各軸孔４２ｂの左側（図１または図４において右側）に対応する支軸４３ｂを夫々整列させた状態で、前記第２基板ケース２７を右方向（図１において左方向）に移動することで各軸孔４２ｂに支軸４３ｂが夫々挿通されて、前記第１基板ケース２１に対して第２基板ケース２７が回動可能に枢着される。なお、前記各支持片４３ａの前端部は略円形状に形成されると共に、前記軸孔４２ｂと前記支軸４３ｂとを整列させた際に、該支持片４３ａが前記後ケース体２３における前記ガイド溝２３ｂに当接することにより、このガイド溝２３ｂに沿って支持片４３が案内されて、支軸４３ｂが軸孔４２ｂに簡単に挿通されるようになっている。
【００２１】
また前述のように、前記ヒンジ機構４１は、図２，図５または図６に示す如く、前記第１基板ケース２１の背面２４に設けた一対の軸受部４２，４２と、前記第２基板ケース２７の前面に設けた一対の軸部４３，４３とから構成されるため、該第２基板ケース２７を第１基板ケース２１に枢着した際に、第１基板ケース２１の下部位置と、第２基板ケース２７の下部位置との間に、該ヒンジ機構４１（軸部４３および軸受部４２）の突出寸法に対応する空間部３８が形成される。すなわち、前記第１基板ケース２１と第２基板ケース２７との間に空間部３８を形成することで、第２基板ケース２７は、前記第１基板ケース２１に対して回動し得るよう構成されている。また、前記空間部３８を空気が流通して、第１基板ケース２１の背面２４および第２基板ケース２７の前面２９を冷却し得るようになっている。
【００２２】
なお、前記第２基板ケース２７の回動範囲は、前記ヒンジ機構４１の形成位置（各基板ケース２１，２７の下端縁２４ａ，２９ａと、軸受部４２および軸部４３との離間寸法）および前記空間部３８の寸法（背面２４と前面２９との離間寸法）に依拠している。また、本実施例では、前記ヒンジ機構４１の形成位置および前記空間部３８の寸法を、前記第２基板ケース２７を該ヒンジ機構４１を中心として第１基板ケース２１から離間する後方（図５における反時計方向）に回動した際に、該第１基板ケース２１の下端縁２４ａに第２基板ケース２７の下端縁２９ａが当接することで、該第２基板ケース２７の回動が規制されるよう設定してある（図６参照）。
【００２３】
ここで、両端縁２４ａ，２９ａが当接するまでの第２基板ケース２７の回動範囲は、該第２基板ケース２７が回動開始してから回動が規制されるまでの間に、自重で回動の勢いが大きくならず、かつ回動が規制された際に第１基板ケース２１の背面側を視認し得る範囲に設定される。そして、第２基板ケース２７の好適な回動角度としては、第１基板ケース２１に対して概ね２０〜５０°回動する範囲であり、更に好適には２０〜３０°の範囲である。なお本実施例では、第２基板ケース２７が、第１基板ケース２１に対して略３０°回動するよう構成してある。このように、前記第２基板ケース２７の回動角度を小さくすることで、該第２基板ケース２７の回動する勢いが大きくならないため、前記ヒンジ機構４１の損傷を低減することが可能である。
【００２４】
また、前記ベース体２８（第２基板ケース２７）の前面における上端縁２９ｂには、前記第１基板ケース２１の係止突部４５，４５と対応する左右に離間する位置に、該係止突部４５，４５に係脱可能な前記係止フック４６，４６が形成されている。前記各係止フック４６は、上下に弾性変形可能な略矩形の片部４６ａと、該片部４６ａに開設されて前記係止突部４５が挿通する孔部４６ｂとから構成される。そして、前記孔部４６ｂに前記係止突部４５を挿通することにより、該係止突部４５が前記片部４６ａに係止されて、前記第２基板ケース２７の後方移動が規制されるようになっている。
【００２５】
なお、前記各片部４６ａの前端部には、前方から後方に向かうにつれて下方に傾斜する第２傾斜面４６ｃが形成されており、前記係止突部４５を前記孔部４６ｂに容易に案内し得るようになっている。更に、前記ベース体２８（第２基板ケース２７）の前面における上端縁２９ｂの近傍には、左右方向に離間して一対の台部２８ａ，２８ａが突設されて、前記両係止フック４６，４６を係止突部４５，４５に係止した際に、各台部２８ａの前端部が前記後ケース体２３に形成した前記当接部２３ｄに当接するよう構成してある。すなわち、前記各台部２８ａが前記当接部２３ｄに当接することで第２基板ケース２７の前方への回動を規制すると共に、前記第１基板ケース２１における背面２４の上部位置と第２基板ケース２７における前面２９の上部位置との間が、前記空間部３８と略同一距離だけ離間するようになっている。
【００２６】
すなわち、前記第２基板ケース２７は、前記係止突部４５，４５に前記係止フック４６，４６を係止して、該第２基板ケース２７が前記第１基板ケース２１に対して重ね合わされた第１状態（図５参照）、および前記ヒンジ機構４１を中心に第２基板ケース２７がその上端縁２９ｂが第１基板ケース２１から離間する方向へ回動して、該第２基板ケース２７（ベース体２８）の下端縁２９ａが、第１基板ケース２１（後ケース体２３）の下端縁２４ａに当接する第２状態（図６参照）に変位可能に構成されている。なお、前記第２基板ケース２７を第１状態とした際に、前記ベース体２８の左側部（図１において右側部）に形成した固定部２８ｂの通孔２８ｃが、前記後ケース体２３の前記ネジ孔２３ｃに整列し、図示しないネジにより固定可能となっている。
【００２７】
（第２基板ケースのカバー体について）
図１または図３に示すように、前記第２基板ケース２７における前記カバー体３１の後面部（面部）３１ａは、前記統括制御基板５０の表面に配設した前記電子部品５１の高さ寸法に対応して、この電子部品５１を保護する第１保護部３２と、前記各放熱部品（コンバータや放熱板）５２，５３の高さ寸法に対応して、これらの放熱部品５２，５３を保護する第２保護部３６とから形成される。すなわち、前記カバー体３１は、前記第２保護部３６が前記第１保護部３２より後方に突出している。また、前記各第２保護部３６における上下に対向する上側面（側面）３６ａおよび下側面（側面）３６ｂには、前後に延在する複数の上放熱口３７ａおよび下放熱口３７ｂが形成されて、該上放熱口３７ａから前記放熱部品５２，５３が発する熱気を外部（上方）に放出すると共に、下放熱口３７ｂから外気を取り込むよう構成してある。更に、前記第２保護部３６の背面３６ｃにも多数の後放熱口３７ｃが形成してあり、前記放熱部品５２，５３が発する熱気を外部（後方）に放出し得るようになっている。
【００２８】
また、図３に示すように、前記カバー体３１（第１保護部３２）の下部位置および右上部位置（図１において左上部位置）には、前方に凹んだ段部３４，３４が形成され、該段部３４，３４に、前記統括制御基板５０に設けた各コネクタ受部５５，５６，５７，５８，５９を挿通するためのコネクタ用通孔３４ａが対応的に形成してある。そして、各通孔３４ａに挿通された第２コネクタ受部５６と前記表示制御基板のコネクタ受部４８とが、ハーネス６０（図５または図６参照）を介して接続される。なお、前記カバー体３１（第１保護部３２）における前記各段部３４と対応する側面３２ｂ，３２ｂは、後方に向かうにつれて前記各コネクタ受部５５，５６，５７，５８，５９から離間する方向に傾斜しており、前記ハーネス６０の着脱を容易に行ない得るよう構成されている。また、前記カバー体３１の前記第１保護部３２における背面３２ｃの左上部位置（図１において右上部位置）に通孔３２ａが形成されて、該通孔３２ａから前記音量調節ツマミ５４が外部に通出している。なお、前記第１保護部３２の背面３２ｃには、前記通孔３２ａ（音量調節ツマミ５４）から所要距離離間する位置に、該通孔３２ａを略囲繞するよう保護壁部３３が立設されており、該音量調節ツマミ５４の意図しない操作および遊技球との接触を防止している。
【００２９】
【実施例の作用】
次に、本実施例に係る遊技機の基板ケースの作用につき説明する。前記第１基板ケース２１（後ケース体２３）の前記各軸受部４２（ヒンジ機構４１）における軸孔４２ｂの左側（図１において右側）に、前記第２基板ケース２７（ベース体２８）における前記各軸部４３（ヒンジ機構４１）の支軸４３ｂを整列させる。このとき、前記軸部４３の支持片４３ａが前記第１基板ケース２１の背面２４に設けたガイド溝２３ｂに当接するので、前記軸孔４２ｂに支軸４３ｂが整列する位置に第２基板ケース２７を容易に位置決めできる。そして、前記第２基板ケース２７を前記ガイド溝２３ｂに沿って右方向（図１において左方向）に移動させると、前記各軸孔４２ｂに前記各支軸４３ｂが挿通されて、該第２基板ケース２７が前記第１基板ケース２１に対して回動可能に枢着される。このように、前記ガイド溝２３ｂを設けることにより、前記第１基板ケース２１に対する第２基板ケース２７の位置決めおよび枢着を簡単に行なうことができる。
【００３０】
この状態で、前記第２基板ケース２７の前面２９を前記第１基板ケース２１の背面２４に近接する方向（図６おける時計回り）に該第２基板ケース２７を回動させると、第２基板ケース２７（ベース体２８）における各係止フック４６（係止手段４４）の第２傾斜面４６ｃが、前記第１基板ケース２１（後ケース体２３）における各係止突部４５（係止手段４４）の第１傾斜面４５ａに当接する。そして、前記第２基板ケース２７を更に回動して前記第１基板ケース２１に近接させると、前記各係止フック４６の片部４６ａが前記各係止突部４５の第１傾斜面４５ａに沿って上方に弾性変形される。更に第２基板ケース２７を回動させて係止フック４６の孔部４６ｂと係止突部４５とが整列すると、該係止フック４６が弾性復帰して前記片部４６ａが係止突部４５に係止され、該第２基板ケース２７の後方への回動が規制されると共に、第２基板ケース２７は第１基板ケース２１に重ね合わされた第１状態に保持される。このとき前記第２基板ケース２７（ベース体２８）の各台部２８ａが前記第１基板ケース２１（後ケース体２３）の各当接部２３ｄに当接するので、該第２基板ケース２７の前方への回動が規制される。
【００３１】
このように、第１基板ケース２１の背面２４側に、第２基板ケース２７を重ね合わせて配設することで、該第１基板ケース２１の背面側のスペースを有効に利用することができる。また、ネジ等の固定手段を用いることなく第２基板ケース２７を第１基板ケース２１に固定することができるので、組付け作業を簡略化し得ると共に、コストの低減も図り得る。
【００３２】
次に、前記係止フック４６，４６を上方に引張り弾性変形させて、該係止フック４６，４６と係止突部４５，４５との係止状態を解除すると、前記第２基板ケース２７は自重により後方（図５における反時計回り）に前記ヒンジ機構４１を中心に回動して、該第１基板ケース２１の背面２４を開放すると共に、該第２基板ケース２７は前記両下端縁２４ａ，２９ａが当接する第２状態に保持される。このように、前記第２基板ケース２７を簡単な操作で第２状態に位置し得るので、例えば前記第１基板ケース２１内に収容した表示制御基板を視認する場合に、短時間で作業を行ない得る。また、前記第１基板ケース２１（後ケース体２３）の下端縁２４ａに、前記第２基板ケース２７（ベース体２８）の下端縁２９ａが当接することで第２基板ケース２７の後方への回動が規制されるから、従来のように別途回動を規制する位置規制部材を設ける必要がなく、コストの低減を図り得る。更に、前記第１基板ケース２１の下方に突出する位置規制部材がないので、該第１および第２基板ケース２１，２７の下方に配設する遊技部品の取付け・取外し作業が阻害されることなく行ない得る。更に、実施例では、前記第２基板ケース２７の回動角度を略３０°と小さく設定してあるので、該第２基板ケース２７が自重で勢いよく回動することはなく、回動によるヒンジ機構４１の損傷を低減できる。
【００３３】
そして、前記第１基板ケース２１の下方位置（ヒンジ機構４１の形成側）に設けた前記表示制御基板のコネクタ受部４８と、第２基板ケース２７の下方位置（ヒンジ機構４１の形成側）に設けた表示制御基板用の前記第２コネクタ受部５６とをハーネス６０で接続するよう構成されているので、第２基板ケース２７を回動するに際しハーネス６０が引っ掛かる畏れはなく、更にハーネス６０を短くすることができ、その取り回しが容易になる。
【００３４】
なお、前記後ケース体２３（第１基板ケース２１）の上面２３ａを前側から後側に向かうにつれて下方傾斜するようにしたので、前記各係止フック４６の前記各係止突部４５に対する係脱操作を容易に行ない得る。そして、前記第１および第２基板ケース２１，２７は、前記ベース体２８の側部に設けた固定部２８ｂの通孔２８ｃに後方から挿通したネジを、前記後ケース体２３のネジ孔２３ｃに螺挿することでも固定できる。従って、前記係止手段４４（係止突部４５および係止フック４６）が損傷等した場合においても、前記第２基板ケース２７を第１基板ケース２１の背面２４に確実に固定できるため、パチンコ機Ｐを稼働するに際し支障が生ずることはない。
【００３５】
また、前記第２基板ケース２７のカバー体３１は、前記統括制御基板５０の表面に配置した前記電子部品５１の高さ寸法に対応させた第１保護部３２より、前記放熱部品５２，５３の高さ寸法に対応させた第２保護部３６が後方に突出した段差状に形成してある。そして、前記放熱部品５２，５３に近接する前記第２保護部３６の上下に対向する側面３６ａ，３６ｂに前記上放熱口３７ａおよび下放熱口３７ｂを形成するようにしたから、前記放熱部品５２，５３から発せられた熱気は上放熱口３７ａから迅速に外部に放出され、下放熱口３７ｂから外気が取り込まれる。従って、前記放熱部品５２，５３は外気によって直接冷却されるので、放熱部品５２，５３を効率よく冷却し得る。また、放熱部品５２，５３が発する熱気は直接外部に放出され、前記第２基板ケース２７内に熱気が籠ることはないので、前記電子部品５１等の誤作動や第２基板ケース２７の変形等を防止できる。
【００３６】
更に、大きな熱を発する前記コンバータ（放熱部品）５２を前記統括制御基板５０の上方位置に配設してあるので、該コンバータ５２から放出された熱気を第２基板ケース２７内に籠ることなく外部に効率よく放出することが可能である。更にまた、電子部品５１の上方位置に放熱部品（コンバータ）５２を配置することで、電子部品５１が放熱部品５２から放出された熱気に直接晒されないため、熱気による電子部品５１の誤作動をより効果的に抑制できる。殊に、コンバータ５２のように放熱量の多い放熱部品を電子部品５１の上方位置に配設することで、電子部品５１の誤作動をより一層効果的に抑制される。そして、前記放熱板５３の放熱フィン５３ａを上下方向に延在するよう構成することで、該フィン５３ａに沿って空気が流通し、該放熱板５３を効率的に冷却し得る。
【００３７】
また、前記カバー体３１を、前記第１保護部３２と第２保護部３６とから段差状に形成したことで、前記第２基板ケース２７内の過剰なスペースを無くし、該ケース２７自体の小型化を図り得ると共に、該第１保護部３２の後方スペースが有効利用できるようになる。そこで実施例では、前記統括制御基板５０に設けた音量調節ツマミ５４を、前記第１保護部３２の通孔３２ａに挿通して突出させると共に、該第１保護部３２に該音量調節ツマミ５４の周囲を囲繞する保護壁部３３を設けることで、当該第１保護部３２の後方スペースを有効利用している。なお、この場合に、前記音量調節ツマミ５４および保護壁部３３は、前記第２保護部３６より後方に突出しないよう構成してあるので、前記第２基板ケース２７が大型化することはない。また、前記音量調節ツマミ５４は、第１保護部３２の通孔３２ａから突出させてあるので、該音量調節ツマミ５４の長さ寸法を小さくでき、コストの削減を図り得る。
【００３８】
【変更例】
基板ケースの取付構造としては、実施例の構造に限られるものではなく種々の変更が可能である。例えば、ヒンジ機構として第１基板ケースに形成した軸受部と、第２基板ケースに形成した軸部とから構成したが、第１基板ケースに軸部を形成し、第２基板ケースに軸受部を形成してもよい。また、前記軸受部と軸部は、実施例の構成に限られるものではなく、前記第１基板ケースに対して第２基板ケースを回動可能に枢着する構成であればよい。更に、係止手段として、第１基板ケースに形成した係止突部に、第２基板ケースに形成した係止フックを係止するよう構成したが、これに限らず、該第２基板ケースを第１基板ケースに係脱可能に係止し得る構成であれば、ネジ止めやピン止め、その他従来公知の各種手段を採用し得る。
【００３９】
また、実施例では、前記ヒンジ機構の形成位置および前記第１基板ケースと第２基板ケースとの間に設けた空間部の大きさを、該第２基板ケースの下端縁が第１基板ケースの下端縁に当接することで、当該第２基板ケースの回動を規制するよう設定したが、第１基板ケースまたは第２基板ケースの何れかの対向し合う下端縁が、他方の基板ケースの対向面に当接することで第２基板ケースの回動を規制するようにしてもよい。
【００４０】
そして、前記第１および第２基板ケースに収容する制御基板としては、実施例のものに限られず、任意の制御基板を収容すればよい。また、基板ケースの形状は、所要に応じて変更することができる。前記第２基板ケースのカバー体には、放熱部品を保護する第２保護部にのみ放熱口を形成したが、電子部品を保護する第１保護部にも放熱口を形成するようにすれば、より一層冷却効率を向上させることが可能である。また、第１保護部および第２保護部を形成する基板ケースとしては、実施例のように別の基板ケースの背面側に重ね合わせるのもに限られず、ＣＰＵやＲＯＭ等の電子部品と、放熱板等の放熱部品を備えた基板を収容した基板ケースであれば、何れのものであってもよい。なお、実施例では、本発明に係る基板ケースの取付構造をパチンコ機に採用した場合で説明したが、これに限らず、スロットマシン機やアレンジボール機、その他各種の遊技機に採用することができる。
【００４１】
【発明の効果】
以上に説明したように、本発明に係る遊技機の基板ケースは、基板の表面側を保護するカバー体を、基板表面に配置した電子部品の高さ寸法に対応させた第１保護部と、放熱部品の高さ寸法に対応され、該第１保護部より突出した第２保護部とから形成したから、第２保護部の側面に設けた放熱口を介して放熱部品の熱を迅速に外部に放出し得ると共に、該放熱口を介して流入する外気により、該放熱部品を直接冷却することができるので、当該放熱部品の冷却効率を向上させ得る。また、放熱口を放熱部品に近接する位置に設けることで、前記基板ケース内に熱が籠るのが防止され、前記電子部品の誤作動やケースの変形等を抑制することができる。更に、前記第１保護部および第２保護部は、前記電子部品および放熱部品の高さ寸法に対応しているので、前記基板ケース内の過剰なスペースを減少させて、該ケース自体の小型化を図り得ると共に、該第１保護部の後方スペースを有効利用し得るようになる。
【図面の簡単な説明】
【図１】本発明の実施例に係る第１基板ケース、第２基板ケースおよび統括制御基板を分解した状態で示す斜視図である。
【図２】実施例に係る第１基板ケースの背面側に、回動可能に枢着した第２基板ケースが第１状態にある場合を示す斜視図である。
【図３】実施例に係る第２基板ケースのカバー体を示す正面図である。
【図４】実施例に係る第１基板ケースから第２基板ケースを取外した状態を示す斜視図である。
【図５】実施例に係る第１基板ケースの背面に重ね合わせた第１状態に、第２基板ケースを位置させた状態を示す側面図である。
【図６】実施例に係る第１基板ケースの背面を開放した第２状態に、第２基板ケースを位置させた状態を示す側面図である。
【図７】実施例に係るパチンコ機を示す正面図である。
【図８】実施例に係るパチンコ機を示す背面図である。
【符号の説明】
２７　第２基板ケース（基板ケース）
２８　ベース体
３１　カバー体
３１ａ　面部
３２　第１保護部
３６　第２保護部
３６ａ　上側面（側面）
３６ｂ　下側面（側面）
３７ａ　上放熱口（放熱口）
３７ｂ　下放熱口（放熱口）
５０　統括制御基板（基板）
５１　電子部品
５２　コンバータ（放熱部品）
５３　放熱板（放熱部品）
Ｐ　パチンコ機（遊技機）
【図１】
2004073283.tif 000003
【図２】
2004073283.tif 000004
【図３】
2004073283.tif 000005
【図４】
2004073283.tif 000006
【図５】
2004073283.tif 000007
【図６】
2004073283.tif 000008
【図７】
2004073283.tif 000009
【図８】
2004073283.tif 000010